(57)【要約】【課題】脱穀機の脱穀室から穀稈供給口を経て、脱穀機の入口側に設けた入口漏斗の上側面へ吹出されて飛散する脱穀処理物の堆積を防止しようとすると共に、入口飛散粒の減少を図ろうとするものである。【解決手段】脱穀機３入口側の穀稈供給口６の下側には、脱穀機３の脱穀室４内へ穀稈を案内する入口漏斗５を設け、コンプレッサ８からの圧縮空気の圧風を、入口漏斗５の上部から穀稈供給口６へ向けて、送風装置１９で送風する構成である。又、送風装置１９のノズル２０と、切換バルブ２０ａとは、一体に形成し、この切換バルブ２０ａをＯＮ−ＯＦＦ操作、及び切換操作する操作スイッチ２０と、切換バルブ２０ａとは、運転作業者の操縦席２５から操作可能に設けると共に、残留物は供給流下棚２２で揺動選別装置１３へ供給する構成である。【選択図】図１
2004154049.tif 000002
【特許請求の範囲】
【請求項１】
走行車台２の上側には、刈取機２６で刈取りした刈取り穀稈を受けて脱穀する脱穀機３と、該脱穀機３入口側の穀稈供給口６の下側には、穀稈を脱穀機３の脱穀室４内へ案内する入口漏斗５と、該入口漏斗５の下部には、コンプレッサ１８等とを設けたコンバインにおいて、前記コンプレッサ１８からの圧縮空気の圧風を入口漏斗５の上方部から穀稈供給口６部へ向けて送風する送風装置１９を設けたことを特徴とするコンバインの残留物処理装置。
【請求項２】
前記送風装置１９には、圧風を切換する複数の切換バルブ２０ａと、圧風を噴射する複数のノズル２０とは、一体に形成すると共に、送風装置１９の各切換バルブ２０ａをＯＮ−ＯＦＦ操作する操作スイッチ２１と、各切換バルブ２０ａを切換操作する切換レバー２１ａとは、コンバインを運転操作する運転作業者が搭乗する操縦席２５から操作可能位置へ設けたことを特徴とする請求項１に記載のコンバインの残留物処理装置。
【請求項３】
前記コンプレッサ１８からの圧風を入口漏斗５上ヘ送風して、該入口漏斗５上の残留物の穀粒等を揺動選別装置１３上ヘ供給する供給流下棚２２等を設けたことを特徴とする請求項１、又は請求項２に記載のコンバインの残留物処理装置。
【発明の詳細な説明】
【０００１】
【発明の属する技術分野】
この発明は、穀稈を脱穀する脱穀機入口側の穀稈供給口の下側に設けて、脱穀機の脱穀室内へ穀稈を案内する入口漏斗の上側面へ堆積する残留物を、除去するコンプレッサからの圧縮空気の圧風を、入口漏斗の上方部から穀稈供給口部へ向けて送風する送風装置を設けた技術であり、コンバインの残留物処理装置として利用できる。
【０００２】
【従来の技術】
コンバインで立毛穀稈の収穫作業は、このコンバインを穀稈の植付圃場を走行させて、走行車台の前方部に設けた刈取機で穀稈は刈取りされ、この刈取り穀稈は、この刈取機で後方上部へ移送され、穀稈の株元側は、走行車台の上側へ載置した脱穀機のフィードチェンと、挟持杆とへ供給されて引継ぎ移送される。又穀稈の穂先側は、脱穀機入口側の穀稈供給口の下側に設けた入口漏斗で案内されて、脱穀室内へ供給されると共に、フィードチェンと、挟持杆とで挟持移送中に脱穀され、脱穀済みの穀粒は、脱穀機から横側の穀粒貯留タンク内へ供給されて、一時貯留される。
【０００３】
上記の刈取り収穫作業中は、コンバインの各部へ堆積する残留物の除去は、下述の如く行われる構成である。
特に特開平１１−１３７０６４号公報に記載の如く、穀稈を刈取り収穫作業中は、例えば、エンジンのラジエータグリル面は、これに面着する回動式のワイパー体を軸支し、その近傍に配設した清掃のズルから噴射される圧縮空気の圧風の送風で、このワイパー体は、所定時間毎に所定時間回転駆動され、ラジエータグリル面へ付着物の残留物を除去して清掃する。
【０００４】
又、前記脱穀機の脱穀室を形成する受網の裏面側に位置して、配設した清掃ノズルから噴射される圧縮空気の圧風の送風で、受網に付着する残留物を除去すると共に、清掃ノズルの噴射駆動は、前処理部（刈取機）の上昇作動、又は籾の回収作動の向れか一方、又は両方に連繋して駆動する。
【０００５】
更に前記脱穀機のフィードチェンの移送終端部から、排藁搬送チェンの移送始端側に至る中間域に配設した清掃ノズルから噴射される圧縮空気の圧風の送風で、中間域を経て排藁搬送チェンへ排藁が継続される間に、排藁中に混入する籾を上方へ向けて除去して回収する。
【０００６】
【特許文献１】
特開平１１−１３７０６４号公報。
【０００７】
【発明が解決しようとする課題】
穀稈の穂先側は、刈取機から脱穀機入口側の穀稈供給口の下側に設けた入口漏斗で案内されて、脱穀機の脱穀室内へ供給されて、脱穀されるが、この脱穀中に脱穀済み穀粒の一部、及び一部の藁屑等が、入口漏斗の上側面へ吹き出して飛散し、この入口漏斗の上側面へ残留物として、堆積することが発生していたが、この残留物がコンバインの走行時の振動等により、入口漏斗から落下して、入口飛散粒になることがあったり、又、落下する藁屑が、この入口漏斗の下側の各部品上へ堆積すること等があったが、この発明により、これらの問題点を解決しようとするものである。
【０００８】
【課題を解決するための手段】
このために、この発明は、請求項１に記載の発明においては、走行車台２の上側には、刈取機２６で刈取りした刈取り穀稈を受けて脱穀する脱穀機３と、該脱穀機３入口側の穀稈供給口６の下側には、穀稈を脱穀機３の脱穀室４内へ案内する入口漏斗５と、該入口漏斗５の下部には、コンプレッサ１８等とを設けたコンバインにおいて、前記コンプレッサ１８からの圧縮空気の圧風を入口漏斗５の上方部から穀稈供給口６部へ向けて送風する送風装置１９を設けたことを特徴とするコンバインの残留物処理装置としたものである。
【０００９】
コンバインで立毛穀稈の収穫作業は、このコンバインを穀稈の植付圃場を走行させて、走行車台２の前方部に設けた刈取機で穀稈は刈取りされ、この刈取り穀稈は、この刈取機で後方上部へ移送され、穀稈の株元側は、走行車台２の上側へ載置した脱穀機３のフィードチェンと、挟持杆とへ供給されて引継ぎ移送される。穀稈の穂先側は、脱穀機３入口側の穀稈供給口６の下側に設けた入口漏斗５で案内されて、脱穀室４内へ供給されると共に、フィードチェンと、挟持杆とで挟持移送中に脱穀され、脱穀済み穀粒は、脱穀機３から横側の穀粒貯留タンク内へ供給されて、一時貯留される。
【００１０】
上述の刈取り収穫作業中は、前記入口漏斗５の下部に設けたコンプレッサ１８と、送風装置１９の両者とを、コンバインを運転操作する運転作業者が始動操作すると、コンプレッサ１８と、送風装置１９とが始動されて、このコンプレッサ１８からの圧縮空気の圧風は、入口漏斗５の上方部に設けた送風装置１９へ移送供給され、入口漏斗５の上部のこの送風装置１９から穀稈供給口６へ向けて送風され、脱穀中にこの穀稈供給口６から、入口漏斗５の上側面へ脱穀室４内から吹出し飛散して、堆積する一部の穀粒、及び一部の藁屑等の残留物は、この送風で除去される。
【００１１】
請求項２に記載の発明においては、前記送風装置１９には、圧風を切換する複数の切換バルブ２０ａと、圧風を噴射する複数のノズル２０とは、一体に形成すると共に、送風装置１９の各切換バルブ２０ａをＯＮ−ＯＦＦ操作する操作スイッチ２１と、各切換バルブ２０ａを切換操作する切換レバー２１ａとは、コンバインを運転操作する運転作業者が搭乗する操縦席２５から操作可能位置へ設けたことを特徴とする請求項１に記載のコンバインの残留物処理装置としたものである。
【００１２】
前記脱穀機３で穀稈を脱穀作業中に、穀稈を供給するこの脱穀機３入口側の穀稈供給口６の下側に設けて、穀稈を案内する入口漏斗５の上側面へ脱穀室４内から吹出し飛散して堆積する一部の穀粒、及び一部藁屑等の残留物があるときには、コンバインを運転操作する運転作業者が搭乗する操縦席２５から操作可能位置に設けた送風装置１９の圧縮空気の圧風を噴射する複数のノズル２０と、一体にして設けた、各切換バルブ２０ａをＯＮ−ＯＦＦ操作する操作スイッチ２１と、切換レバー２１ａとを運転作業者が操作して、コンプレッサ１８と、送風装置１９の各切換バルブ２０ａ等を始動させて、このコンプレッサ１８からの圧縮空気の圧風は、送風装置１９へ送風され、この送風装置１９の各切換バルブ２０ａを経て各ノズル２０から噴射されて、穀稈供給口６へ向けて送風され、入口漏斗５の上側面へ堆積した残留物は、除去される。
【００１３】
請求項３に記載の発明においては、前記コンプレッサ１８からの圧風を入口漏斗５上ヘ送風して、該入口漏斗５上の残留物の穀粒等を揺動選別装置１３上ヘ供給する供給流下棚２２等を設けたことを特徴とする請求項１、又は請求項２に記載のコンバインの残留物処理装置としたものである。
【００１４】
前記脱穀機３で穀稈を脱穀作業中に、穀稈を供給するこの脱穀機３入口側の穀稈供給口６の下側に設けて、穀稈を案内する入口漏斗５の上側面へ脱穀室４内から吹出し飛散して、堆積する一部の穀粒、及び一部の藁屑等の残留物があるときには、運転作業者はコンプレッサ１８と、送風装置１９とを始動操作し、これらコンプレッサ１８からの圧縮空気の圧風は、送風装置１９へ送風され、この送風装置１９から穀粒供給口６へ向けて送風され、入口漏斗５の上側面へ堆積した残留物は、この入口漏斗５から供給流下棚２２を経て、脱穀機３の脱穀室４の下側に設けて脱穀処理物の供給を受けて、穀粒と、藁屑、及び稈切等とに揺動選別する揺動選別装置１３上ヘ流下供給され、この揺動選別装置１３で残留物は、穀粒と、藁屑、及び稈切等とに揺動選別処理される。
【００１５】
【発明の効果】
請求項１に記載の発明においては、穀稈を脱穀する脱穀機３入口側の穀稈供給口６の下側へ設けて、脱穀機３の脱穀室４内へ穀稈を案内する入口漏斗５の上側面へ堆積する残留物の除去は、コンプレッサ１８からの圧縮空気の圧風は、入口漏斗５の上方部から穀稈供給口６へ向けて送風する送風装置１９を設けたことにより、入口漏斗５の上側面へ堆積する残留物を、防止することができて、入口飛散粒の防止ができる。
【００１６】
請求項２に記載の発明においては、前記送風装置１９には、圧風を噴射して送風する各ノズル２０と、切換バルブ２０ａとは、一体にして設け、送風装置１９の各切換バルブ２０ａをＯＮ−ＯＦＦ操作する操作スイッチ２１と、切換レバー２１ａとは、運転作業者が搭乗する操縦席２５から操作可能位置へ設けたことにより、操作性が良好になると共に、又、各ノズル２０と、各切換バルブ２０ａとは、一体になったことにより、大巾なコスト低減を行うことができた。
【００１７】
請求項３に記載の発明においては、前記コンプレッサ１８からの圧風を、入口漏斗５上ヘ送風して、この入口漏斗５上の残留物である穀粒等は、供給流下棚２２を経て、脱穀室４の下側へ設けて、穀粒と、藁屑、及び稈切等とに揺動選別する揺動選別装置１３上ヘ流下供給することにより、脱穀室４から飛散して、入口漏斗５の上側面へ堆積する残留物の穀粒の回収率の向上を図ることができる。
【００１８】
【発明の実施の形態】
以下、本発明の一実施例を図面に基づいて説明する。
コンバイン１の走行車台２の前方部に設けた刈取機２６で刈取りした刈取り穀稈を受けて、脱穀する脱穀機３は、走行車台２の上側へ載置した構成である。脱穀機３入口側の穀稈供給口６の下側には、穀稈を脱穀室４内へ案内する入口漏斗５と、この入口漏斗５の下側で、走行車台２の上側には、コンプレッサ１８を載置して設け、このコンプレッサ１８からの圧縮空気の圧風を、入口漏斗５の上方部から、穀稈供給口６部へ向けて送風する送風する送風装置１９を設けた構成である。この送風装置１９と、脱穀機３の入口漏斗５と、穀稈供給口６等とを主に図示して説明する。
【００１９】
前記コンバイン１の走行車台２の下側には、図１〜図３で示す如く土壌面を走行する左右一対の走行クローラ２８ａを張設した走行装置２８を配設し、走行車台２の上側には、脱穀機３を載置した構成である。走行車台２の前方部の刈取機２６で立毛穀稈を刈取りし、この刈取り穀稈は、この刈取機２６で後方上部へ移送され、脱穀機３のフィードチェン８ａと、挟持杆８ｂとで引継ぎされて、挟持移送されながら脱穀される。脱穀済みで選別済み穀粒は、脱穀機３の右横側に配設した穀粒貯留タンク２３内へ一時貯留される。
【００２０】
前記走行車台２の前方部には、図１〜図３で示す如く前端位置から立毛穀稈を分離するナローガイド２９ａ、及び分草体２９ｂと、立毛穀稈を引起す引起装置３０ａと、引起された穀稈を掻込みする穀稈掻込移送装置３１の各掻込装置３１ａと、掻込された穀稈を刈取りする刈刃装置３０ｂと、刈取りされた穀稈を挟持移送して、脱穀機３のフィードチェン８ａと、挟持杆８ｂとへ受渡しする穀稈掻込移送装置３１の根元・穂先移送装置３２ａ，３２ｂ等からなる刈取機２６を設けている。該刈取機２６は、油圧駆動による伸縮シリンダ３３により、土壌面に対して、昇降自在に移動する構成である。
【００２１】
前記刈取機２６の前方下部から後方上部へ傾斜する支持杆３４ａの上端部には、左右方向の支持パイプ杆３４ｂを設け、この支持パイプ杆３４ｂを走行車台２の上側面に設けた支持装置３４ｃで回動自在に支持させて、伸縮シリンダ３３の作動により、刈取機２６は支持パイプ杆３４ｂを回動中心として、上下に回動する構成である。
【００２２】
前記刈取機２６の穀稈掻込移送装置３１によって形成される穀稈移送経路中には、刈取られて移送される穀稈に接触作用することにより、脱穀機３へ穀稈の供給の有無を検出する穀稈センサ２６ａを設けた構成である。
前記穀粒貯留タンク２３側の前部には、図１〜図３で示す如くコンバイン１を始動、停止、及び各部を調節等の操作を行う操作装置２４と、これら操作を行う作業者が搭乗する操縦席２５とを設け、この操縦席２５の下側で、走行車台２の上側面には、エンジン２７を載置すると共に、後方部には、穀粒貯留タンク２３を配設する。これら走行装置２８と、刈取機２６と、脱穀機３と、エンジン２７等により、コンバイン１の機体１ａを形成した構成である。
【００２３】
前記脱穀機３は、図１〜図４で示す如く左・右側板３ａ，３ｂと、入口・出口側板３ｃ，３ｄと、入口中・出口中側板３ｅ，３ｆで略箱体に形成し、脱穀機３の左側板３ａ側には、刈取機２６の穀稈掻込移送装置３１の根元・穂先移送装置３２ａ，３２ｂで後方上部へ移送される刈取り穀稈の根元側の供給を受けて引継ぎして、挟持移送するフィードチェン８ａと挟持杆８ｂとを設けた構成である。又、穂先側は、脱穀機３の入口側板３ｃに設けた穀稈供給口６の下側部に沿って設けた入口漏斗５の上側面で案内されて、穀稈供給口６から脱穀機３の脱穀室４内へ供給される構成である。
【００２４】
前記脱穀機３の脱穀室４内をフィードチェン８ａと、挟持杆８ｂとにより、挟持移送中の穀稈は、この脱穀室４内へ回転自在に軸支した扱胴７の外周部へ植設した多種類で、多数本の扱歯７ａにより、脱穀される構成である。又、この扱胴７の扱歯７ａの回転外周の下側部には、脱穀された脱穀処理物が漏下する脱穀室網７ｂを張設した構成である。この脱穀作業中には、脱穀室４から一部の穀粒、及び一部の藁屑等は、穀稈供給口６から吹出されて飛散して、入口漏斗５の上側面へ堆積して、残留物となることがあるが、この残留物の処理は、後述の如く設けた構成の残留物処理装置１７で処理する構成である。
【００２５】
前記残留物処理装置１７は、図１〜図３で示す如く脱穀機３の入口漏斗５の下部で、走行車台２上側面へ載置したコンプレッサ１８と、入口漏斗５の上部に設けた送風装置１９と、これらコンプレッサ１８と、送風装置１９とを接続する接続パイプ１８ａ等よりなる構成である。
【００２６】
前記コンプレッサ１８は、操作装置２４に設けた刈取り作業を開始するときに操作するＯＮ−ＯＦＦスイッチ方式の刈取スイッチ２４ａのＯＮ操作に連動して、始動する構成である。コンプレッサ１８の始動により、このコンプレッサ１８から圧縮空気の圧風は、接続パイプ１８ａを経て、送風装置１９へ送風され、この送風装置１９の始動により、脱穀機３の入口漏斗５の上方部から、穀稈供給口６部へ向けて、斜めに噴射送風され、この送風により、入口漏斗５上ヘ脱穀室４から穀稈供給口６を経て吹出し飛散して、堆積する一部の穀粒、及び一部の藁屑等の残留物は、除去される構成である。
【００２７】
穀稈を脱穀する脱穀機３入口側の穀稈供給口６の下側へ設けて、脱穀機３の脱穀室４内へ穀稈を案内する入口漏斗５の上側面へ堆積する残留物の除去は、コンプレッサ１８からの圧縮空気の圧風は、入口漏斗５の上部から穀稈供給口６へ向けて送風する送風装置１９を設けたことにより、入口漏斗５の上側面へ堆積する残留物を、防止することができる。又、入口飛散粒の防止ができる。
【００２８】
前記送風装置１９は、図１〜図３で示す如く筒形状の外送風筒１９ｂに設けた複数個の噴出孔１９ｃと、内送風筒１９ａに設けた複数個のノズル２０、及び切換バルブ２０ａと、送風装置１９の各切換バルブ２０ａを始動、及び停止操作するＯＮ−ＯＦＦスイッチ方式の操作スイッチ２１と、各噴出孔１９ｃを設けた外送風筒１９ｂを回動操作する操作レバー２１ａ等とよりなる構成である。各切換バルブ２０ａは、圧風の送風と、送風停止とを行う構成である。又、この各切換バルブ２０ａと、各ノズル２０とは一体に形成して、内送風筒１９ａへ設けた構成である。操作スイッチ２１の操作により、各各切換バルブ２０ａを始動操作され、切換レバー２０ａの操作により、外送風筒１９ｂの各噴出孔１９ｃを、内送風筒１９ａの切換バルブ２０ａ、及びノズル２０へ重合させて、切換バルブ２０ａ、ノズル２０、及び噴出孔１９ｃより、圧風を噴射送風させる構成である。
【００２９】
前記操作スイッチ２１と、切換レバー２１ａとの操作により、切換バルブ２０ａを始動すると共に、送風側へ外送風筒１９ｂは切換され、各ノズル２０から圧風は、噴射送風される構成である。又、操作スイッチ２１と、切換レバー２１ａとは、図１、及び図３で示す如くコンバイン１を運転操作する運転作業者が搭乗する操縦席２５より、操作可能な位置で、送風装置１９の外送風筒１９ｂへ設けた構成である。
【００３０】
前記操作スイッチ２１と、切換レバー２１ａとは、コンバイン１を運転操作する運転作業者が搭乗する操縦席２５より、操作可能な位置へ設けると共に、各ノズル２０と、各切換バルブ２０ａとは、一体に形成して設けたことにより、操作性が良好になると共に、各ノズル２０と、各切換バルブ２０ａとは、一体になったことにより、大巾にコスト低減を行うことができた。
【００３１】
前記入口漏斗５の残留物が堆積する部分には、図１、及び図３で示す如く残留物である一部の穀粒、及び一部の藁屑等が漏下する漏下網５ａを張設すると共に、入口漏斗５の下側には、供給流下棚２２を設けた構成である。
前記入口漏斗５の上側面へ堆積した残留物は、コンプレッサ１８からの圧風を、送風装置１９の各ノズル２０から噴射する圧風の送風により、漏下網５ａから漏下して、供給流下棚２２へ供給され、この供給流下棚２２を流下し、詳細後述する揺動選別装置１３の移送棚１３ａ上へ供給される構成である。この揺動選別装置１３へ供給される脱穀処理物と同時に、残留物も穀粒と、藁屑、及び稈切等とに揺動選別される構成である。
【００３２】
前記コンプレッサ１８からの圧風を、脱穀機３の入口漏斗５上ヘ送風して、この入口漏斗５上の残留物である穀粒等は、この入口漏斗５へ張設した漏下網５ａを漏下して、供給流下棚２２へ供給され、この供給流下棚２２上を流下して、揺動選別装置１３の移送棚１３ａ上へ供給され、揺動選別されることにより、脱穀室４から飛散して、入口漏斗５の上側面へ堆積する残留物の穀粒の回収率の向上を図ることができる。
【００３３】
前記脱穀機３の穀稈供給口６を設けた入口側板３ａの外側部には、左右方向に所定巾で、又、上下方向に所定長さの図１、及び図２で示す如くゴム材、又は樹脂材等よりなる飛散防止板５ｂを設け、この飛散防止板５ｂの上部の外側部には、送風装置１９を設けた構成である。又、飛散防止板５ｂには、左右方向に所定間隔で、下端部より、上方へ向けて所定長さのスリット５ｃを設けた構成とするもよい。
【００３４】
前記脱穀機３の穀稈を供給する供給側へ飛散防止板５ｂを設けたことにより、脱穀室４から飛散する穀粒を防止することができると共に、飛散防止板５ｂの効果により、送風する圧風量を少なくすることができる。
前記脱穀機３の入口中・出口中側板３ｅ，３ｆ間には、図１〜図４で示す如く脱穀室４内で未脱穀処理物等が排出される脱穀排出口４ａ設けた構成である。この脱穀排出口４ａから排出される未脱穀処理物は、脱穀室４の右横側へ設けた排塵処理物９内へ供給され、この排塵処理室９へ軸支内装して排塵プレート９ｂと、排出板９ｃ等とを外周部へ設けた排塵処理胴９ａで再脱穀処理する構成である。
【００３５】
前記排塵処理胴９ａの排塵プレート９ｂの回転外周部の下側には、漏下具９ｄを張設し、再脱穀処理物は、この漏下具９ｄから漏下する構成である。又、排塵処理室９の移送終端部には、再脱穀処理物の漏下しなかった排塵物の主として藁屑等を排出する排塵排出口９ｅを設けた構成である。
【００３６】
前記排塵処理室９の前側には、二番処理室１０を設け、後述する二番還元筒１６ａで揚送される二番処理物が供給され、この二番処理室１０へ軸支内装した二番処理爪１０ｂと、排出板１０ｃ等とを外周部へ設けた二番処理胴１０ａで再脱穀処理する構成である。
【００３７】
前記二番処理胴１０ａの二番処理爪１０ｂ回転外周部の下側には、二番網１０ｄを張設し、再脱穀処理物は、この二番網１０ｄから漏下する構成である。又、二番処理室１０の移送終端部には、再脱穀処理物の漏下しなかった二番物を排出する二番排出口１０ｅを設けた構成である。
【００３８】
前記脱穀室４の下側には、選別室１１を設け、この選別室１１内には、脱穀室網７ｂ、漏下具９ｄ、二番網１０ｄ、及び排塵排出口９ｅ、二番排出口１０ｅ等から漏下、及び排出される脱穀処理物、再脱穀処理物、排塵排出物、及び二番排出物等の供給を受けて、穀粒と、藁屑、及び稈切等とに揺動移送しながら、揺動選別する揺動選別装置１３を揺動自在に吊り下げ状態に設けた構成である。
【００３９】
前記揺動選別装置１３は、図４で示す如く移送始端側から移送棚１３ａと、漏下量を調節自在な複数個のチャフシーブ１３ｂと、複数個のストローラック１３ｃと、チャフシーブ１３ｂの下側のグレンシーブ１３ｄと、ストローラック１３ｃの下側の流下棚１３ｅ等とよりなる構成である。
【００４０】
前記揺動選別装置１３の下側の前部には、この揺動選別装置１３から漏下する漏下物を風選別する送風ファン１２を設けた構成である。
前記送風ファン１２の後側には、選別、及び横移送等を行う一番処理装置１５を設けると共に、この一番処理装置１５へ接続し、一番穀粒を揚送して、穀粒貯留タンク２３内へ供給する揚穀筒１５ａを、脱穀機３右横側へ設けた構成である。
【００４１】
前記一番処理装置１５の後側には、選別、及び横移送等を行う二番処理装置１６を設けると共に、この二番処理装置１６へ接続し、二番物を揚送して、二番処理室１０へ供給する二番還元筒１６ａを、脱穀機３の右横側へ設けた構成である。
【００４２】
前記揺動選別装置１３の移送終端部の上側には、脱穀処理時に発生した藁屑、及び稈切等を吸引して、機外へ排出する吸引ファン１４を設けた構成である。
前記走行車台２の前端部に装架した走行用のミッションケース３５内の伝動機構３５ａの伝動経路中には、その出力に基づいて、走行車速を検出するポテンションメータ方式の車速センサ３５ｂを設けた構成である。
【００４３】
前記穀粒貯留タンク２３内に貯留した穀粒を機外へ排出するこの穀粒貯留タンク２３の後側には、縦移送螺旋を内装した排出支持筒（共に図示せず）を略垂直姿勢で旋回自在に装着して設け、この排出支持筒の上端部には、その全長がコンバイン１の前後長に亘る機外へ穀粒を排出する排出螺旋を伸縮自在に内装した排出オーガ（共に図示せず）を伸縮自在、上下回動自在、及び左右旋回自在に前後方向に配設した構成である。
【図面の簡単な説明】
【図１】コンバインの一部破断した側面図
【図２】コンバインの一部破断した背面図
【図３】コンバインの一部破断した平面図
【図４】脱穀機の拡大側面断面図
【符号の説明】
２      走行車台
３      脱穀機
４      脱穀室
５      入口漏斗
６      穀稈供給口
１３    揺動選別装置
１８    コンプレッサ
１９    送風装置
２０    ノズル
２０ａ  切換バルブ
２１    操作スイッチ
２１ａ  切換レバー
２２    供給流下棚
２５    操縦席
２６    刈取機
【図１】
2004154049.tif 000003
【図２】
2004154049.tif 000004
【図３】
2004154049.tif 000005
【図４】
2004154049.tif 000006